(57)【要約】【課題】配線の組替えや調整等を容易に行うことができ、且つデザイン性にも優れている。【解決手段】配線ボックス１の上部に真空管２を植設したものであって、この配線ボックス１内で真空管２その他の回路素子３，４，５を配線し、且つ配線ボックス１が、上本体１ａと下本体１ｂとからなり、上本体１ａが下本体１ｂに対して開閉自在に連結している。更に、上本体１ａの上壁が表板部と金属製裏板部とからなり、裏板部にソケットを設け、表板部にソケットの位置に対応する取付用孔を設けて、真空管２を取付用孔に挿通してソケットに接続している。【選択図】　図１
2004072303.tif 000002
【特許請求の範囲】
【請求項１】
配線ボックスの上部に真空管を植設したものであって、前記配線ボックス内で真空管その他の回路素子を配線し、且つ前記配線ボックスが、上本体と下本体とからなり、該上本体が該下本体に対して開閉自在に連結していることを特徴とする開閉式配線ボックス型真空管アンプ。
【請求項２】
前記上本体の上壁が表板部と金属製裏板部とからなり、前記裏板部にソケットを設け、前記表板部に該ソケットの位置に対応する取付用孔を設けて、前記真空管を該取付用孔に挿通して前記ソケットに接続していることを特徴とする請求項１に記載の開閉式配線ボックス型真空管アンプ。
【請求項３】
前記配線ボックスの上部に、ボリュームコントローラと入出力端子とを配設し、前記上本体内に、抵抗器とコンデンサとを設置し、前記下本体内に、チョークコイル、トランス、抵抗器、及びコンデンサを収納していることを特徴とする請求項１又は２に記載の開閉式配線ボックス型真空管アンプ。
【請求項４】
前記配線ボックスに、回路素子からの放熱を外部に放出するための通気窓を設けたことを特徴とする請求項１〜３のいずれかに記載の開閉式配線ボックス型真空管アンプ。
【発明の詳細な説明】
【０００１】
【産業上の利用分野】
本発明は、音響用の真空管アンプに関する。
【０００２】
【従来の技術】
音響用のアンプとして、真空管を植設した真空管アンプが、近年良く利用されている。この真空管アンプは、図３に示すように、金属製のシャーシ上に真空管、トランス、及びチョークコイル等を設置し、シャーシ内で抵抗器等をリード線で配線している。
【０００３】
【発明が解決しようとする課題】
この場合、シャーシ内で配線されているため、配線の組替えや調整等を行う際に、アンプを逆さにしたり、真空管等を取り外すという煩雑さがある。又、画一的な外観形状であるため、デザイン性にも劣る。
【０００４】
そこで、本発明は、前記した問題点に鑑み、配線の組替えや調整等を容易に行うことができ、且つデザイン性にも優れた真空管アンプを提供する。
【０００５】
【課題を解決するための手段】
本発明に係る開閉式配線ボックス型真空管アンプは、真空管を配線ボックスの上部に植設したものであり、この配線ボックス内で真空管その他の回路素子を配線し、そして、配線ボックスが上本体と下本体とからなり、上本体が下本体に対して開閉自在に連結していることを特徴とするものである。
【０００６】
上本体の上壁が表板部と金属製裏板部とからなり、裏板部にソケットを設け、表板部にソケットの位置に対応する取付用孔を設けて、真空管を取付用孔に挿通してソケットに接続していることが好ましい。
【０００７】
又、配線ボックスの上部に、ボリュームコントローラと入出力端子とを配設し、上本体内に、抵抗器とコンデンサとを設置し、下本体内に、チョークコイル、トランス、抵抗器、及びコンデンサを収納していることが好適である。
【０００８】
更に、配線ボックスに、回路素子からの放熱を外部に放出するための通気窓を設けたことが望ましい。
【０００９】
【発明の実施の形態】
以下、本発明に係る開閉式配線ボックス型真空管アンプ（以下、アンプという）の実施例を、添付図面に基づいて詳細に説明する。
【００１０】
図１は、アンプの外観斜視図を示す。Ａは配線ボックスを閉じた状態を、Ｂは開いた状態を示す。図に示す通り、配線ボックス１は上本体１ａと下本体１ｂとからなり、Ｂに示すように、これらの一辺同士を蝶番等の可動連結部材５０で連結して軸とし、上本体１ａが開閉できる構造となっている。又、この配線ボックス１は、木製の構造体である。
【００１１】
上本体１ａの上部には、電圧増幅管や出力管、或いは整流管等の真空管２、ボリュームコントローラ３、出力端子４、入力端子４’、電源スイッチ５、及びパイロットランプＰＬが配設しており、内部には、抵抗器６、及びコンデンサ１１が収納し、リード線２０で配線されている。即ち、真空管、操作用素子、及び比較的軽い回路素子が、上本体１ａに配設・収納されている。
【００１２】
下本体１ｂ内には、チョークコイル８、出力トランス９、パワートランス１０、コンデンサ１１、及び抵抗器６が収納され、リード線２０で配線されている。即ち、比較的重いの回路素子が収納されている。更に、下本体１ｂ内の回路素子と、上本体１ａ内の回路素子とを、比較的長尺なリード線２０で配線することにより、上本体１ａの開閉が自在になっている。
【００１３】
そして、下本体１ｂに比較的大きな２つの通気窓５１が設けられており、配線ボックス１内に収納した各回路素子からの放熱を、通気窓５１を通じて外部に放出することができる。
【００１４】
図２は、上本体１ａの一部拡大断面図を示す。この図は、真空管２を植設した部分の拡大断面図を示す。上本体１ａの上壁１０ａは、表板部６０と裏板部６１との２層構造であって、表板部６０が木製、裏板部６１が金属製であり、夫々の層がビス等の連結部材６２で連結されている。裏板部６１には、回路素子用のソケット２１をボルト等の連結部材２１ａで取り付けたり、更にアースする為、アース板、例えばアルミ板や鉄板等の金属板が好ましい。
【００１５】
表板部６０には、上本体１ａの上方に配設する回路素子のための取付用孔６０ａが設けられている。取付用孔６０ａは、ソケット２１より大きな径とすることにより、ソケット２１に接続する回路素子と木製の上層部６０とを離して、回路素子からの放熱が上層部６０に伝達しない。
【００１６】
本実施例では、配線ボックス１は木製であるが、金属製やプラスチック製、或いは陶器製であっても良いことは当然である。
【００１７】
【発明の効果】
本発明によれば、配線ボックスの上本体を開いて、内部の配線を露呈することによって、配線の組替えや調整等を比較的容易に行うことができる。即ち、従来の真空管アンプのように、配線の組替え等の際に、アンプ自体を逆さにするという手間が不要である。
【００１８】
又、トランスをボックス内部に収納できるため、従来必要であったトランス用ケーシングの費用が不要となり、自作トランスを容易に製作使用できる。
【００１９】
更に、下本体内に比較的重い回路素子が収納できるため、アンプを安定した状態で設置できる。即ち、従来のアンプでは、比較的重い回路素子がシャーシ上に配設されるため、不安定な状態であった。
【００２０】
更に又、全体を木製で構成することにより、デザイン性に優れた表面加工を容易にできる。そして、通気窓の形状を様々な形状にすることにより、デザイン豊富なアンプを形成できる。又、従来のアンプは、突出したハンドル部材をシャーシに設ける場合があるが、本発明に係るアンプは、凹状のハンドル部材を下本体に設けることができるため、デザイン性及び利便性に優れている。
【図面の簡単な説明】
【図１】アンプの外観斜視図を示す。
【図２】上本体の一部拡大断面図を示す。
【図３】従来のアンプの外観斜視図を示す。
【符号の説明】
１　配線ボックス
１ａ　上本体
１ｂ　下本体
２　真空管
２１　ソケット
１０ａ　上本体の上壁
６０　上壁の表板部
６１　上壁の裏板部
【図１】
2004072303.tif 000003
【図２】
2004072303.tif 000004
【図３】
2004072303.tif 000005